(57)【特許請求の範囲】
【請求項１】
携帯端末であって、
場所と日時と、前記場所および日時において所定情報の送信元を指示する送信元指示情報と、情報取得に関する優先度とを関連付けて含む複数の情報群を格納した情報格納部と、
前記携帯端末の現在の使用場所および使用日時を検出する検出手段と、
前記検出手段により検出した前記使用場所および前記使用日時に基づき前記情報格納部の前記複数の情報群を検索し、当該使用場所と当該使用日時とを指す前記場所および前記日時に関連付けられた前記送信元指示情報を、関連付けられた前記優先度に従い読出す読出す手段と、
所定情報記憶部と、
前記読出す手段により読出された前記送信元指示情報に基づき、前記送信元から前記所定情報を受信し、前記所定情報を受信する毎に、受信した前記所定情報を当該送信元指示情報を含む前記情報群に関連付けて前記所定情報記憶部に順次に蓄積して格納する情報受信手段と、
表示部と、
前記表示部に待受けの画面を表示するための外部操作を検出する操作検出手段と、
前記操作検出手段によって前記外部操作が検出されたことに応じて、前記検出手段により検出した前記使用場所および前記使用日時を指す前記場所および前記日時を含む前記情報群に関連付けられた前記所定情報記憶部の前記所定情報のうち、最も、最近に受信されて格納された前記所定情報を読出し、当該外部操作によって前記表示部に表示された前記画面において表示する手段と、を備え、
前記複数の情報群のそれぞれは、同一の前記場所および前記日時と、前記同一の場所および日時において複数種類の前記所定情報それぞれの前記送信元を指示する前記送信元指示情報とを関連付けて含み、
前記優先度の値は外部入力により可変に設定されて、
前記情報受信手段は、一定期間以上、元の値に復帰せずに下げられた状態が継続した前記優先度に関連付けられた前記送信元情報に基づく前記所定情報の受信動作を停止する、携帯端末。
【請求項２】
前記複数種類の所定情報は、同一種類または異なる種類の所定情報を指す、請求項１に記載の携帯端末。
【請求項３】
前記携帯端末は、ヒンジと、前記ヒンジを介して折畳み可能な筐体を有し、
前記表示部は、前記筐体をヒンジを介して折畳んだ状態では折畳まれた筐体の内面側に
位置し、開いた状態では筐体の外面側に位置し、
前記操作検出手段は、
前記筐体を折畳み状態から開いた状態に切替えるための外部からの操作を検出する、請求項１または２に記載の携帯端末。
【請求項４】
前記操作検出手段は、
特定のショートカットキーの操作を検出する、請求項１から３のいずれか１項に記載の携帯端末。
【請求項５】
前記操作検出手段は、
スリープモードからの復帰を指示する操作を検出する、請求項１から４のいずれか１項に記載の携帯端末。
【請求項６】
前記所定情報は、所望の場所に設置されたカメラにより撮影された映像を指す、請求項１から５のいずれか１項に記載の携帯端末。
【発明の詳細な説明】
【技術分野】
【０００１】
この発明は携帯端末に関し、特に、待受け画面の表示機能が改良された携帯端末に関する。
【背景技術】
【０００２】
従来、携帯端末の使用場所や使用時間に応じて、待受け画面にコンテンツを表示する機能が提供されている。特許文献１においては、携帯可能な情報処理装置である携帯電話に、専用ボタンを設け、１回の操作で交通機関の到着情報を入手できる機能が示されている。
【０００３】
また、特許文献２においては、表示するメニューの例として、使用場所が台所であればスーパーの安売り情報など、リビングであれば、テレビの番組案内などをメニュー表示し、メニューの選択によりコンテンツ表示処理が行なわれる。このように特許文献２においては、携帯端末周辺の機器により使用環境を判断し、メニュー表示を切換えるようにしている。特許文献３においては、天気予報を待受け画面に表示する機能が開示されている。特許文献４においては、携帯端末のシステムへの加入時に広告配信を受ける対価として通信料を割引く構成が開示されている。たとえば、現在地に応じた広告配信が行なわれている。また、特許文献５においては、端末の現在地に応じて携帯端末の相手先情報と地域情報を記憶させる機能を有している。携帯端末は特定地域を判別し、相手先情報を選択して記憶する。つまり、勤務先では仕事関係の相手先を電話帳に登録し自宅ではプライベートな相手先を電話帳に登録することができる。
【特許文献１】特開２００１−３３７９６７号公報
【特許文献２】特開２００２−２５９０１１号公報
【特許文献３】特開２００４−１９３９３９号公報
【特許文献４】特開２００１−１８６５７５号公報
【特許文献５】特開２００５−１３６９２３号公報
【発明の開示】
【発明が解決しようとする課題】
【０００４】
携帯型端末はユーザに携帯されて時間および場所ともに自由に移動するとの特性を有する。したがって、ユーザは、いつでもどこでも、その時間と場所に応じて必要な、または所望の情報を携帯端末から簡単操作にて入手できる環境を望んでいた。しかしながら、特許文献１は交通機関の大やダイヤ情報の提供に限定され、また特許文献２は場所に連動した情報ではあるが時間の要素が加味されていない。また、特許文献３では、時間毎に最新の情報を提供するけれども、携帯の現在の位置情報を加味して選択された情報の提示ではない。
【０００５】
また、特許文献４は時間と場所に応じた広告の配信を指しているが、ユーザが所望する情報の種類を多様化して提示するものではなく、また、特許文献５は上述のように現在の場所に応じて電話帳に登録されるべき情報を切り替えているが、ユーザの所望する種類の情報を時間と場所に応じて選択的に提示するものではない。
【０００６】
またユーザは携帯し移動しながら端末を操作するケースが多く、したがって時間と場所に応じたユーザが所望する種類の情報を簡単操作で提示することを可能とする機能の提供が求められていた。
【０００７】
それゆえにこの発明の目的は、使用場所と使用日時に応じて所定の情報を簡単操作で表示させることのできる携帯端末を提供することである。
【課題を解決するための手段】
【０００８】
この発明のある局面に従うと、携帯端末は、場所と日時と、場所および日時において所定情報の送信元を指示する送信元指示情報とを関連付けて含む情報群を格納した情報格納部と、所定情報を取得するための取得手段と、表示部と、表示部に待受けの画面を表示するための外部操作を検出する操作検出手段と、を備える。
【０００９】
取得手段は、携帯端末の現在の使用場所および使用日時を検出する検出手段と、検出手段により検出した使用場所および使用日時に基づき情報格納部の情報群を検索し、当該使用場所と当該使用日時とを指す場所および日時に関連付けられた送信元指示情報を読出す手段と、読出す手段により読出された送信元指示情報に基づき、送信元から所定情報を受信する情報受信手段と、を含む。そして、操作検出手段によって外部操作が検出されたことに応じて、当該外部操作によって表示部に表示された画面において、取得手段により予め取得された所定情報を表示する。
【００１０】
好ましくは、情報格納部には、複数の情報群が格納されて、複数の情報群のそれぞれは、同一の場所および日時と、同一の場所および日時において異なる種類の所定情報それぞれの送信元を指示する送信元指示情報と、情報取得に関する優先度とを関連付けて含み、読出す手段は、検出手段により検出した使用場所および使用日時に基づき情報格納部の複数の情報群を検索し、当該使用場所と当該使用日時とを指す場所および日時に関連付けられた送信元指示情報を、関連付けられた優先度に従い読出す。
【００１１】
好ましくは、情報格納部には、複数の情報群が格納されて、複数の情報群のそれぞれは、同一の場所および日時と、同一の場所および日時において同一種類の所定情報それぞれの送信元を指示する送信元指示情報と、情報取得に関する優先度とを関連付けて含み、読出す手段は、検出手段により検出した使用場所および使用日時に基づき情報格納部の複数の情報群を検索し、当該使用場所と当該使用日時とを指す場所および日時に関連付けられた送信元指示情報を、関連付けられた優先度に従い読出す。
【００１２】
好ましくは、優先度は外部から入力される。
好ましくは、携帯端末は、取得手段によって所定情報を取得する毎に、取得した所定情報を順次に蓄積して格納するためのため所定情報記憶部をさらに備え、操作検出手段によって外部操作が検出されたことに応じて、当該外部操作によって表示部に表示された画面において、取得手段により取得された最も、最近の所定情報を所定情報記憶部から読出し表示する。
【００１３】
好ましくは、携帯端末は、ヒンジと、ヒンジを介して折畳み可能な筐体を有し、表示部は、筐体をヒンジを介して折畳んだ状態では折畳まれた筐体の内面側に位置し、開いた状態では筐体の外面側に位置し、操作検出手段は、筐体を折畳み状態から開いた状態に切替えるための外部からの操作を検出する。
【００１４】
好ましくは、操作検出手段は、特定のショートカットキーの操作を検出する。
好ましくは、操作検出手段は、スリープモードからの復帰を指示する操作を検出する。
【００１５】
好ましくは、所定情報は、所望の場所に設置されたカメラにより撮影された映像を指す。
【発明の効果】
【００１６】
本発明によれば、ユーザは表示部に待受けの画面を表示するための外部操作をすると、使用場所と使用日時に応じた所定情報が待受けの画面に表示される。したがって、外部操作をして表示される画面を確認することで、随時所定の情報を得ることができる。
【００１７】
この所定の情報にはカメラの撮影映像を含ませることができるので、表示される映像により随時カメラを用いた遠隔モニタが可能となる。
【発明を実施するための最良の形態】
【００１８】
以下、図面を参照し実施の形態について詳細に説明する。なお、各図中同一符号は同一または相当部分を示すので、それらについての説明は繰返さない。
【００１９】
図１を参照して、本実施の形態に係る通信システムは、インターネットなどのネットワーク１と、複数種類のサーバ３と、各ユーザにより携帯される複数台の携帯端末２とを備える。携帯端末２は、中継局ＢＴを介してネットワーク１に接続される。携帯端末２と中継局ＢＴは、無線通信により接続される。携帯端末２はネットワーク１を介して各種のサーバ３から情報を取得する。携帯端末２において情報取得に用いる無線通信の方式は、Ｗ−ＣＤＭＡ（Wideband Code Division Multiple Access）やＣＤＭＡ（Code Division Multiple Access）２０００に代表される携帯電話無線アクセス方式、または無線ＬＡＮ（Local Area Network）、ＷｉＭＡＸ（Worldwide Interoperability for Microwave Access）などの中長距離無線通信方式を利用することができ、このうちの１つの方式あるいは複数方式を利用することができる。
【００２０】
図２を参照して、携帯端末２は、制御部２０、携帯端末２の現在の位置情報を取得するための位置情報取得部２１、携帯端末２のユーザによる操作を検出するための操作検出部２２、ネットワーク１を介して各種のサーバ３から要求元の携帯端末２に対して送信（配信）される要求情報（コンテンツの一種であるサービス情報という）を取得するためのサービス情報取得部２３、サービス情報取得部２３により取得したサービス情報などを含む各種の情報を格納するための情報格納部２４、情報格納部２４に格納された情報を参照（読出）するための情報参照部２６、格納された情報を更新（変更／書込）するための情報更新部２５、通話部２７１、図示のない出力デバイスに対し情報を出力するための出力制御部２７２、現在時間を計時するためのタイマ２８およびユーザにより操作されるキー・ボタンなどからなり、操作に応じた情報を入力するための入力部２９を備える。
【００２１】
制御部２０は情報を表示する動作を制御するための情報表示部２０２およびサービス情報の取得に関する登録条件を決定するための登録条件決定部２０１を含む。
【００２２】
位置情報取得部２１は、携帯端末２の現在位置を検出するために位置検出部２１１を含む。位置検出部２１１は、ＧＰＳ(Global Positioning System）やＷｉ−Ｆｉ（Wireless Fidelity）などのアクセスポイント（最寄りの基地局の位置）情報を検出するもの、角速度センサなどを用いるもの、あるいはそれらを組合せたものに従い携帯端末２の現在位置を検出する。
【００２３】
操作検出部２２は、携帯端末２のユーザによる特定の操作を検出する機能を有する。ここでは、携帯端末２がクラムシェルタイプの複数の筐体からなると想定する。携帯端末２は、筐体同士がヒンジを介して折畳み可能／開閉可能に構成されている場合において、内蔵する開閉センサなどの検出機能を利用して、携帯端末２が閉じた状態（折畳み状態）から開いた状態にユーザが外部から切替操作したか否かを検出し、検出信号を制御部２０に出力する。この場合、ディスプレイ４８は折畳まれた状態では筐体の内面側に位置してその画面は外部から確認することはできないが、開いた状態では外面側に位置しその画面を外部から確認することができる。折畳み状態から開いた状態に操作されると、待受けモードに移行して待受け画面が表示される。または、待受けモードにおける入力部２９のユーザによる特定のショートカットキー操作や、低消費電力モードであり表示画面も消去するようなスリープモードから待受け画面を表示する待受けモードへの復帰を指示する所定のキー操作を検出して、その検出信号を制御部２０に出力してもよい。または、これらを組合せて操作検出がされてもよい。
【００２４】
携帯端末２はクラムセシェル型に限定されず筐体同士をスライド操作すると、待受けモードに移行するタイプであってよい。操作検出部２２はスライド操作されたことを次のように検出する。つまり、筐体同士をスライド操作すると、スライド機構に組み込まれたスイッチが作動するように機械的接点式にてスライド状態の有無を検知してもよい。また、機械接点式でなくても、フォトインタラプタによる光素子を利用する方法、またはホール素子と小型磁石の組み合わせによる検出も適用できる。
【００２５】
本実施の形態に係る携帯端末２では待受けモードに移行すると所定の待受け画面を表示するが、受信したサービス情報はこの待受け画面に代替して、または重畳して表示される。
【００２６】
また、ここでは、情報格納部２４に対する情報参照部２６による情報の参照（読出）と、情報更新部２５による情報の更新（変更／書込）とは排他的に行われるとする。
【００２７】
図３には、携帯端末２のハードウェア構成が示される。ここでは、携帯端末２の位置検出部２１１はＧＰＳ機能を利用して携帯端末２の位置検出をすると想定する。図３を参照して携帯端末２は、制御部２０に相当するＣＰＵ（Central Processing Unit）４０、情報格納部２４に相当する第１メモリ４２、出力制御部２７に相当する信号処理回路４３、サービス情報取得部２３に対応するアンテナ４５およびアンテナ４５を介したネットワーク１による通信を行なう無線通信回路４４、入力部２９に対応する入力キー４６、操作検出部２２に対応する開閉検出センサ４７、出力制御部２７によって映像が出力されるディスプレイ４８および音声が出力されるスピーカ４９、位置検出部２１１に対応するＧＰＳアンテナ５１およびＧＰＳ通信回路５０、およびマイク５２を備える。
【００２８】
スピーカ４９とマイク５２は図２の通話部２７１に対応する。信号処理回路４３はＣＰＵ４０を経由して、アンテナ４５および無線通信回路４４により受理した信号（映像信号、音声信号を含む）を入力し、入力した信号から映像信号と音声信号を分離して出力する分離回路４３１、ＯＳＤ（On Screen display）回路４３２を含む。分離回路４３１によって分離されて出力された音声信号はスピーカ４９を介して音声出力される。また、分離回路４３１から出力された映像情報は、ＯＳＤ回路４３２を経由してディスプレイ４８に出力され、ここに画像として表示される。ＯＳＤ回路４３２に分離回路４３１から映像信号が与えられると、ＯＳＤ回路４３２は、そのときＣＰＵ４０が第２メモリ４１から読出した所定の画像データを入力し、入力映像信号に入力画像データを重畳して、出力する。したがってこのときは、ディスプレイ４８に映像信号による画像に、第２メモリ４１から読出された画像データによる画像が重畳された画面が表示される。ＯＳＤ回路４３２は、ＣＰＵ４０から画像データが与えられていないときは、分離回路４３１から与えられる映像信号をスルーしてディスプレイ４８に出力する。したがって、このとき、ディスプレイ４８には、画像データが重畳されない映像信号のみによる画面が表示される。
【００２９】
本実施の形態では、所定の場所に設置されたカメラによって撮像された映像に従う画像情報を、サービス情報として配信するサーバ３と、このようなカメラによる撮影映像を除く各種のサービス情報を配信するサーバ３とを備える。ここでは、カメラによる撮影映像を配信するサーバをサーバ３Ｂと称し、それ以外のサービス情報を配信する種類のサーバをサーバ３Ａと称する。
【００３０】
図４を参照して、サーバ３Ａは、制御部３０、ネットワーク１を介して通信を行なうためのネットワーク通信部３１、ネットワーク通信部３１を介して情報を受信するための情報受信部３２、ネットワーク通信部３１を介して情報を送信するための情報送信部３３、本実施の形態に係る通信システムのユーザを認証するためのユーザ認証部３４、当該通信システムに登録されたユーザに関する情報（ユーザ識別情報など）を予め登録するユーザＤ／Ｂ（データベースの略）３５、ネットワーク通信部３１および情報受信部３２を介して受理したサービス情報の要求を確認するための要求情報確認部３６、要求情報確認部３６によって確認された要求に従い、情報Ｄ／Ｂ（データベースの略）３８を検索するための情報検索部３７を備える。情報Ｄ／Ｂ３８には、サーバ３Ａが要求に応じて携帯端末２に配信するためのサービス情報が予め格納される。
【００３１】
図５には、サーバ３Ｂの機能構成が示される。図４のサーバ３Ａと図５のサーバ３Ｂの機能構成を比較し、異なる点は、要求情報確認部３６、情報検索部３７および情報Ｄ／Ｂ３８に代替して、サーバ３Ｂが要求情報確認部３６１、カメラ制御部３６２、カメラ部３６３および画像情報入力部３６４を備える点にある。サーバ３Ｂの他の構成は、図４のそれと同様であるので、ここでは説明を略す。
【００３２】
図５を参照して、要求情報確認部３６１は、ネットワーク通信部３１および情報受信部３２を介して受信したサービス情報の要求を確認する。確認した要求に基づき、指示信号がカメラ制御部３６２に与えられる。カメラ制御部３６２は与えられる指示信号（後述のコマンドＣＭ）に基づき、カメラ部３６３を制御する。たとえばカメラ部３６３のパン／チルト機能、明るさ制御機能、ズーム機能などが制御される。カメラ部３６３はカメラ制御部３６２の制御の下に撮影した映像を、デジタルの画像情報に変換し、画像情報入力部３６４に出力する。画像情報入力部３６４は、入力した画像情報を、制御部３０に出力する。制御部３０は、入力した画像情報を、情報送信部３３およびネットワーク通信部３１を介してサービス情報要求の送信元の携帯端末２宛てに送信する。
【００３３】
サーバ３Ａと３Ｂは、携帯端末２からサービス情報の取得の要求を受信すると、当該要求に含まれるユーザＩＤなどに従い、ユーザ認証部３４によりユーザＤ／Ｂ３５を検索し、当該ユーザＩＤがユーザＤ／Ｂ３５に登録されている要求のみを受け付ける。このユーザの認証は、サーバ３Ｂがユーザ個人の家庭などプライベート空間を撮影するカメラ部３６３を有する場合には、特に必要である。
【００３４】
図６には本実施の形態に係るサーバ３のハードウェア構成が示される。図６の構成は、サーバ３Ｂの構成として例示するが、サーバ３Ａの構成とした場合には、図６のカメラＩ／Ｆ（インターフェイスの略）５４およびカメラ５５を除いた点において共通している。図６を参照して、サーバ３Ｂは、制御部３０に対応するＣＰＵ５０、ネットワーク通信部３１、情報受信部３２および情報送信部３３に対応する通信Ｉ／Ｆ（インターフェイスの略）５１、ユーザＤ／Ｂ３５および情報Ｄ／Ｂ３８に対応するＨＤ（ハードディスクの略）５２、ＲＯＭ（Read Only Memoryの略）およびＲＡＭ（Random Access Memoryの略）からなるメモリ５３、カメラ制御部３６２および画像情報入力部３６４に対応するカメラＩ／Ｆ（インターフェイスの略）５４、カメラ部３６３に対応するカメラ５５、および現在時間を計時するためのタイマ５６を備える。
【００３５】
図７と図８には、携帯端末２の使用場所と日時に応じて、個別に、取得すべきサービス情報を予めユーザが登録（指定）するために、ディスプレイ４８に表示される画面例が示される。これらの画面のデータは、第２メモリ４１に予め記憶されており、ＣＰＵ４０が、これらの画像データを第２メモリ４１から読出しＯＳＤ回路４３２に与えるので、ＯＳＤ回路４３２は与えられた画像データに基づく、画像信号をディスプレイ４８に出力する。したがってディスプレイ４８には、その時点で分離回路４３１から出力された映像信号に従う画像に当該画像データの画像が重畳して表示されることによって、図７または図８の画面が表示される。
【００３６】
図７の画面を見たユーザは、入力部２９を操作して、ディスプレイ４８に表示されるカーソル４８１を移動操作し、確定操作をする。ここでは、たとえば携帯端末２の現在位置（現在の使用場所）として“自宅”が選択された例が表示される。ここでは、使用場所として自宅、職場、学校、実家、通勤エリアなどの各種の場所を指定することができる。使用場所はこれらの限定されるものではない。
【００３７】
図８の画面が表示されると、ユーザは入力部２９を操作して、図７で指定した場所において取得すべきサービス情報の種類（カメラ映像およびその他のサービス情報のいずれか）を指定する。図８の画面の領域４８２を参照するとカメラ映像として、“職場”のカメラ映像が指定されて、時間帯として２０時〜２２時において撮影されているカメラ映像が指定され、撮影曜日として金曜日が指定されていることがわかる。したがって、この指定内容によれば、職場に設置されたカメラ５５によって、毎週金曜日の２０時−２２時の間において撮影されたカメラ映像の画像を、サービス情報として、自宅において配信を受けることが指定されている。
【００３８】
また、ディスプレイ４８の領域４８３においては、カメラ映像以外のサービス情報を指定するための例が示される。ここでは、図７で指定した場所に居るときには、取得すべきサービス情報の種別として“天気予報”であって、曜日として金曜日の６時−２０時の天気予報配信を受けることが指定されている。したがって、図８の領域４８３の指定によれば、毎週金曜日の６時−２０時においては自宅に居るときにはサービス情報として天気予報の配信を受けることが指定される。
【００３９】
図９には、携帯端末２の情報格納部２４の内容例が示される。情報格納部２４には、図７と図８の画面を介して指定された情報を格納した１つ以上のレコードＲを予め格納する領域Ｅ１、領域Ｅ２、領域Ｅ３および領域Ｅ４を有する。
【００４０】
領域Ｅ１の所定アドレス‘YYY’には、特別に取得するべき種類の情報が指定されていない、または特別に取得するべき種類の情報を取得することができないときに、これら情報に代替して取得される情報（ここでは、‘基本サービス情報’という。）を指定するためのレコードＲが格納される。
【００４１】
領域Ｅ２には予めお気に入りテーブル２４１が格納される。お気に入りテーブル２４１は、サービス情報の各種類に対応して、ユーザのお気に入り情報を供給するサーバ３Ａまたは３Ｂの通信ネットワーク１上のアドレスを指す。
【００４２】
領域Ｅ３には、配信を受けたカメラ映像のデータ６０およびその他のサービス情報６１が配信され毎に順次に蓄積して格納される。領域Ｅ４には、アドレス‘YYY’のレコードＲの情報に従い配信がされた基本サービス情報６２が格納される。基本サービス情報６２の詳細は後述する。
【００４３】
レコーダＲは、位置情報Ｒ１、図７および図８の画面を介して指定された場所を指すデータＲ２、取得すべき情報の種別（カメラ映像またはその他のサービス情報）を指す情報種別のデータＲ３、データＲ３で指定されている情報種別に従う種類の情報を取得するためのサーバ３を指示する接続先のデータＲ４、データＲ３で指定された種別の情報を取得する図８で指定された時間帯を指すデータＲ５および取得する曜日を指すデータＲ６、優先度のデータＲ７およびアドレスのデータＲ８を関連付けて含む。
【００４４】
データＲ１で示される位置情報は、図７および図８の画面が表示されて情報が指定されたときの携帯端末２の位置検出部２１１により検出された位置を示す情報である。優先度のデータＲ７については後述する。データＲ８が示すアドレスは、該当するレコードＲの情報に従う要求に従いサーバ３から配信されたサービス情報（カメラ映像またはその他のサービス情報）が格納された領域Ｅ３におけるアドレスを指す。
【００４５】
領域Ｅ３のカメラ映像６０およびサービス情報６１のそれぞれは、ポインタＰを有する。ポインタＰは、当該カメラ映像のデータ６０の次に格納されたカメラ映像６０を指示する。同様にサービス情報６１のポインタＰも、当該サービス情報６１の次に領域Ｅ２に格納されたサービス情報６１を指示する。したがって、領域Ｅ２においては、カメラ映像のデータ６０およびサービス情報６１は、領域Ｅ３に格納された順番に、すなわちサーバ３から携帯端末２に配信されて受信されて領域Ｅ３に格納された順番に従い、ポインタＰにより指示される。
【００４６】
図１０〜図１２には、本発明の実施の形態に係る具体的な処理を示すフローチャートが示される。図１３と図１４には、本実施の形態に係る、通信のためのデータフォーマットの一例が示される。
【００４７】
本実施の形態に係るデータフォーマットは、図１３および図１４に示されるように、パケットの構成を有する。パケットは、ヘッダ部ＨＤとデータ部ＤＰを有する。携帯端末２がサービス情報（カメラ映像のデータを含む）の配信を要求するときは、図１３に示されるようなパケットが携帯端末２のサービス情報取得部２３により生成されて、無線通信回路４４およびアンテナ４５を介して送信される。
【００４８】
サーバ３から要求に応じたサービス情報（カメラ映像のデータを含む）が配信される場合には、図１４のパケットを用いて配信される。
【００４９】
図１３のヘッダ部および図１４のヘッダ部には、送信先（携帯端末２またはサーバ３）を指定するアドレスなどの情報である送信先情報ＤＡ、当該パケットの送信元（携帯端末２またはサーバ３）のアドレスを示す送信元情報ＳＡを含む。図１３のパケットの場合には、ヘッダ部ＨＤには、さらに要求種別ＲＥＱが格納される。要求種別ＲＥＱは、前述したレコーダＲの内容に従う情報を指す。図１３のデータ部ＤＰには、カメラ映像以外のサービス情報を要求する場合には、特別なデータは格納されないが、カメラ映像の配信を要求する場合には、コマンドＣＭが格納される。コマンドＣＭは、カメラ制御部３６２に対して与えられる指令を表わし、カメラ部３６３のパン／チルト機能、明るさ制御、ズーム機能などを制御するためのコマンドを指す。図１４のサーバ３から配信されるサービス情報のためのパケットのデータ部ＤＰには、要求に応じて配信するべきサービス情報を指すデータＤＤが格納される。
【００５０】
図１０を参照して、レコードＲを情報格納部２４に格納するための特定エリア登録処理について説明する。図１０を参照して、携帯端末２において特定エリア登録処理モードが開始されると、ＧＰＳ機能により、位置検出部２２１を用いて、携帯端末２の現在の位置情報が検出されて、位置情報取得部２１により位置情報が取得される。取得した位置情報はデータＲ１を指す。ここで、ＧＰＳアンテナ５１を用いて位置情報が検出できないときは、ステップＳ３の処理が繰返される。アンテナの不具合（故障）またはＧＰＳシステムのエラーなどにより、現在の位置情報を取得することができなかった場合には（所定回数繰返しても位置情報が取得できなかった場合には）、図１０の特定エリア登録処理を終了する。
【００５１】
ステップＳ３において携帯端末２の現在の位置情報が取得されると、ステップＳ５において登録条件決定部２０１により、登録条件が決定されて入力される。具体的には、登録条件決定部２０１は、メモリ４１から画像データを読出し、ＯＳＤ回路４３２を介してディスプレイ４８に図７の画面を表示する。したがって、ユーザは、入力部２９を操作して、携帯端末２の現在の居場所（自宅、職場、学校、実家、通勤エリアの別）を指定し入力する。入力した情報はデータＲ２を指し、登録条件決定部２０１に与えられる。
【００５２】
次に、ステップＳ７において、入手すべきサービス情報に関して希望接続先あるいはサービスの要求が入力されるか否かを、入力部２９からの入力データに基づき判定する。入力データがないと判定されると（Ｓ７で“なし”）、後述するステップＳ１５の処理に移行するが、入力データを検出すると（ステップＳ７で“あり”）、ステップＳ９に移行する。
【００５３】
ステップＳ９においては、登録条件決定部２０１は、図８の画面を表示する。図８の画面を確認したユーザは、入力部２９を操作して、所定のデータ（所望のデータ）を入力する。入力したデータはデータＲ３、Ｒ５およびＲ６を指し登録条件決定部２０１に与えられる。データＲ３はカメラ映像のデータを指す場合には、ユーザは入力部２９を操作してカメラの制御コマンドＣＭも入力するので、当該データＲ３は入力したコマンドＣＭも含む。このとき、登録条件決定部２０１は、指定されたサービス情報の種別に基づき、情報参照部２６を介し、情報格納部２４のお気に入りテーブル２４１を検索し、当該サービス情報の種別に対応して格納されたアドレス（当該種別の情報を配信するお気に入りのサーバ３のサイトを指すアドレス）を読出す。このアドレスは、データＲ４を指す。
【００５４】
次のステップＳ１１において、登録条件決定部２０１は、指定された種別のサービス情報を配信するべきサーバ３のアドレスに基づき、無線通信回路４４およびアンテナ４５を介して配信先サーバ３への接続を行なう。相手先サーバ３から応答を受信するか否かにより接続が成功したか否かを判定する。所定期間待っても応答を受信できない場合には、接続に失敗（相手先サーバ３がダウン、または該当するサーバ３が存在しない）したと判定されて、後述するステップＳ１５の処理に移行する。
【００５５】
一方、所定時間内に応答を検出すると（ステップＳ１１で“接続成功”）、ステップＳ１３において、先のステップＳ３、Ｓ５およびＳ９によって入力または指定された情報に基づき、登録条件決定部２０１は、図９に示すレコードＲを生成し、生成したレコードＲを、情報更新部２５を介して情報格納部２４の領域Ｅ１に追加格納する。このレコードＲの格納が完了したことはディスプレイ４８を介し通知される。当該レコードＲのデータＲ７とＲ８はダミーデータを指す。データＲ８は、当該レコードＲの内容に従い、サービス情報取得部２３によってカメラ映像データ６０またはサービス情報６１が領域Ｅ３に格納されたとき、この格納先のアドレスを指示するように更新される。
【００５６】
ステップＳ１５においては、登録条件決定部２０１は基本サービス表示受入れのためのレコードＲを生成し、生成したレコードＲを、情報格納部２４の所定のアドレス‘YYY’に格納する（図９参照）。このレコードＲは、データＲ３が示す情報種別として、登録条件決定部２０１により“サービス情報”が格納され、データＲ４の接続先サーバを特定する情報として“デフォルトサーバ”のアドレスが格納される。当該レコードＲのデータＲ１、Ｒ２およびＲ５〜Ｒ８には、ダミーデータが格納される。当該レコードＲのデータＲ８は、当該レコードＲの内容に従い、サービス情報取得部２３によって基本サービス情報６２が領域Ｅ３に格納されたとき、この格納先のアドレスを指示するように更新される。データＲ４が指す“デフォルトサーバ”のアドレスは、第２メモリ４１に予め格納されたアドレスである。
【００５７】
次に図１１を参照して、サービス情報取得部２３による、情報格納部２４に格納された情報に基づくサービス情報を取得するための処理手順を説明する。
【００５８】
まず、位置検出部２１１により携帯端末２の現在の位置情報が、位置情報取得部２１により取得される（ステップＳ１７）。位置情報の取得に成功すると、ステップＳ２１に移行する。
【００５９】
ステップＳ２１では、位置情報取得部２１によって取得された位置情報が、サービス情報取得部２３に与えられる。サービス情報取得部２３は、入力した位置情報に基づき、情報参照部２６を介し情報格納部２４を検索する。検索結果に基づき、情報格納部２４の領域Ｅ１に、ステップＳ１７で検出された位置情報を示すデータＲ１を有するレコードＲが格納されているか否かを検出する。格納されていると検出すると、ステップＳ２２に移行するが、格納されていないと検出すると、後述のステップＳ２９に移行する。
【００６０】
ステップＳ２２においては、位置情報を示すデータＲ１を有する検出したレコードＲから、データＲ５およびデータＲ６で示される時間帯と曜日を示す日時情報が読出されて、タイマ２８から入力する現在の日時（時間帯、曜日）の情報と比較され、比較結果に基づき一致するか否かを判定する。一致しないと判定すると（ステップＳ２２でＮＧ）、後述のステップＳ２９の処理に移行し、一致すると判定すると（ステップＳ２２でＹＥＳ）、ステップＳ２３に移行する。
【００６１】
ステップＳ２３においては、検索したレコードＲから読出したデータＲ３およびＲ４に基づき、希望接続先サーバまたはサービス情報の種別が指定されているか否かを判定する。両方が指定されていれば、ステップＳ２５に移行するが、指定がなければ、ステップＳ２９の処理に移行する。
【００６２】
ステップＳ２５においては、検索したレコードＲから読出したデータＲ４が示す接続先を示す情報と、データＲ３が示す情報種別（カメラ映像の場合はコマンドＣＭも含む）を読出し、これを用いて、図１３のパケットを生成し、生成したパケットを無線通信回路４４およびアンテナ４５を介して送信し、応答として受信したパケットを処理する。具体的には、このとき、当該送信パケットのヘッダ部ＨＤの送信先情報にはデータＲ４が示す情報が格納され、送信元情報には、第２メモリ４１に予め格納された当該携帯端末２を一意に識別するアドレスが読出されて格納される。なお、情報種別としてカメラ映像が指定されている場合には、当該パケットのデータ部ＤＰには、コマンドＣＭが格納される。当該パケットを送信すると、その後、相手先サーバ３からは、先の送信パケットにより要求した種類のサービス情報を格納した図１４のパケットが送信される。このパケットは、アンテナ４５および無線通信回路４４を介しサービス情報取得部２３によって受信される。
【００６３】
ステップＳ２５では、サービス情報取得部２３は、受信したパケットのデータ部ＤＰから、要求したカメラ映像のデータ６０またはサービス情報６１を読出し、記憶領域Ｅ３に追加格納する。このとき格納したカメラ映像のデータ６０またはサービス情報６１のポインタＰは“ＮＵＬＬ”を指し、領域Ｅ２に格納された最終のデータ（最新データ）であることが指示される。そして、領域Ｅ２に直前に格納されていたカメラ映像のデータ６０またはサービス情報６１のポインタＰは、今回格納されたカメラ映像のデータ６０またはサービス情報６１を指示するような値に更新される。また、当該レコードＲのデータＲ８は、カメラ映像のデータ６０またはサービス情報６１を格納したアドレスを指すように更新される。
【００６４】
次に、ステップＳ２７において、サービス情報取得部２３は、タイマ２８の計時データに基づき、図１１の処理を開始してから一定時間が経過したか否かを判定する。一定時間が経過したと判定されると、ステップＳ１７の処理に戻り次の情報取得の処理が行われる。一定時間が経過していないと判定されると、図１２の表示処理に移行する。
【００６５】
ステップＳ２９においては、サービス情報取得部２３は、領域Ｅ１のアドレス‘YYY’から読出したレコードＲの情報に基づき、データＲ４が指すデフォルトサーバに基本サービス情報の取得要求のパケットを送信して、当該デフォルトサーバから、要求した基本サービス情報の受信し、受信した基本サービス情報６２を、領域Ｅ４に格納する。このときアドレス‘YYY’のレコードＲのデータＲ８は、領域Ｅ４における基本サービス情報の格納アドレスを指すように更新される。
【００６６】
上述の図１１の情報取得の処理は、取得した情報を直後の待受けモードにおける待受け画面を表示するまでに、携帯端末２のバックグランド処理として実行されると想定する。このバックグランド処理において携帯端末２の想定される動作状態は、ユーザが携帯端末２を使用中（通話・操作中）、または待受け状態があるが、前者の動作状態ではフォアグランド処理に影響しない低い優先度で実行する必要があり、後者の場合には搭載する図示のないバッテリの消耗度合いを考慮して実行する必要がある。いずれの場合にも数秒に１回程度の通信によって比較的に低いビットレートの情報取得のための通信が行われる。
【００６７】
本実施の形態に係る携帯端末２は人間が携帯するものであり移動速度が低いものを想定している。つまり、自動車に搭載される携帯端末のように高速移動のケースは想定しないの、図１１のバックグランド処理によって定期的に情報取得をする際の位置情報更新を頻繁に実施する必要はない。したがって、図１１では、ステップＳ２７においてユーザの移動速度に応じた一定時間の経過を監視している。
【００６８】
図１１の情報取得の処理は、領域Ｅ１に格納された該当するレコードＲの全てに関してサービス情報の取得処理を行うと想定しているが、データＲ７が指す優先度に従い選択されたレコードＲに関してのみ情報取得を行うようにしてもよい。
【００６９】
具体的には、領域Ｅ１において、同一の場所および同一の日時を指すデータＲ１、Ｒ２、Ｒ５およびＲ６を有し、かつデータＲ３の情報種別が異なるレコードＲが複数個格納されている場合において、この全てのレコードＲについてサービス情報の取得処理を行うのではなく、対応のデータＲ７が指す優先度が低いレコードＲについては情報取得処理の頻度を他よりも低くするようにしてもよい。さらには、一定期間以上、データＲ７が指す優先度が元の値に復帰せずに下げられた状態が継続したレコードＲについては、サービス情報の取得を停止してもよい。
【００７０】
同一の場所および同一の日時を指すデータＲ１、Ｒ２、Ｒ５およびＲ６を有し、かつデータＲ３の情報種別が同じ（ただしデータＲ４は異なる）レコードＲが複数個格納されている場合において、この全てのレコードＲについてサービス情報の取得処理を行うようにすると、あるレコードＲについては、接続先サーバ３の故障などにより情報取得ができない場合でも、所望される種別のサービス情報は他のレコードＲを用いて取得して表示することができる。また、上述と同様に、この全てのレコードＲについてサービス情報の取得処理を行うのではなく、対応のデータＲ７が指す優先度が低いレコードＲについては情報取得処理の頻度を他よりも低くするようにしてもよい。さらには、一定期間以上、データＲ７が指す優先度が元の値に復帰せずに下げられた状態が継続したレコードＲについては、サービス情報の取得を停止してもよい。
【００７１】
このデータＲ７が指す優先度は、ユーザが、入力部２９を操作して所望するように設定することが可能である。
【００７２】
次に、図１２を参照して表示処理モードについて説明する。表示処理モードは、待受けモードにおいて、ユーザが携帯端末２を折畳まれた状態から開いた状態に切替操作をした場合において、所定の待受け画面に重畳して、または単独で取得したサービス情報が携帯端末２のディスプレイ４８を介して表示される。携帯端末２の制御部２０は通常に待機状態（アンテナ４５および無線通信回路４４を介した通話（電子メール）などの着信の待受けモード）にある。この待受けモードにおいて（ステップＳ３１）、制御部２０は、操作検出部２２を介して、ユーザにより特定の操作がされたか否かを検出する（ステップＳ３３）。特定の操作は、前述したような携帯端末２の開閉操作であるとする。ここで、開閉検出センサ４７により、閉じていた（折畳まれていた）携帯端末２が、開いた状態に操作されると、開閉検出センサ４７は、これを検出し、検出信号を制御部２０に与える。制御部２０は、与えられる信号に基づき情報表示部２０２を起動する。
【００７３】
なお、特定の操作は、スリープモードから復帰するためのボタン操作であってもよい。
情報表示部２０２は、起動されると、ステップＳ３５において、情報格納部２４を、情報参照部２６を介して参照する。そして、領域Ｅ２のポインタＰ１によって指示される情報（カメラ映像のデータ６０またはサービス情報６１）を読出し、ディスプレイ４８に表示する。ここで、ポインタＰ１は、情報表示処理によって、直前に表示がされた情報を指す。したがって、ポインタＰ１で指示される情報が表示されるごとに、情報表示部２０２は領域Ｅ２のポインタＰ１を、次に格納された（次に取得された）カメラ映像のデータ６０またはサービス情報６１を指示するように更新する。
【００７４】
次のＳ３７において、情報表示部２０２は、ポインタＰ１が指示している情報が“空”を指すか否かを判定し、更新情報があるか否かを判定する。ポインタＰ１が指す情報が“空”ではなく、更新された情報が格納されていると判定すると（ステップＳ３７でＹＥＳ）、ステップＳ３９の処理に移行する。情報表示部２０２は、ディスプレイ４８に更新情報があることを表示するので、ユーザは入力部２９を操作して情報更新を要求する。ステップＳ３９において情報更新の操作がされたか否かが情報表示部２０２によって判定される。情報更新の操作がされたと判定されると（ステップＳ３９でＹＥＳ）、ステップＳ３５の処理に戻り、更新された情報が表示される。
【００７５】
ステップＳ３７において更新情報がないと判定されると（ステップＳ３７でＮＯ）、入力部２９を介した端末操作が終了したか否かが判定される（ステップＳ４１）。端末操作が終了したと判定されると、たとえば開閉検出センサ４７を用いて、ユーザが筐体を閉じた（開いた状態→閉じた（折畳み）状態）操作をしたことを検出すると（ステップＳ４１でＹＥＳ）、ステップＳ３１の処理に戻り、携帯端末２は待機状態に移行する。
【００７６】
このように、ステップＳ３１において待受けモードと判定されたときに、携帯端末２が開いた状態へと操作された場合には、従来はディスプレイ４８に所定の待受け画面が表示されるけれども、本実施の形態では、現在の携帯端末２の使用場所と日時に応じて予め指定された特定のカメラの映像や特定のサービス情報を表示することができるから、または待受け画面に重畳して表示できるから、ユーザは簡単な操作で、使用場所と使用日時に応じたユーザが所望するサービス情報を自動的に取得できる。
【００７７】
表示モード処理では、領域Ｅ１において、共通の場所および日時を指すデータＲ１、Ｒ２、Ｒ５およびＲ６を有するレコードＲが複数個格納されている場合においては、各レコードＲについて最も、最近に取得した情報を表示するようにしてもよい。
【００７８】
また、共通するデータＲ１、Ｒ２、Ｒ５、Ｒ６およびＲ３を有し、データＲ４の接続先のデータが異なるレコードＲを複数登録しておくことで、そのうちの１個のレコードＲに従うサービス情報の取得が、たとえば接続先のサーバ３の不具合で不可能であったとしても、他のレコードＲに従い取得した最新のサービス情報を表示すれば、所望する種別の情報について、常に、最近に取得したサービス情報を取得して表示することができる。
【００７９】
（他の実施の形態）
ディスプレイに表示するために取得するサービス情報は、上述したサービス情報に限定されず、特定の場所あるいは公共の場所に設置された監視カメラの映像、あるいはサーバ３より配信されるサービス情報、最寄り交通機関の路線図やタイムテーブル、お店や美術館などの地域情報などを用いることができる。
【００８０】
また、使用場所と日時に応じて予め指定された情報取得が適わない場所で使用されることも想定して、複数種類の情報を取得しておいてもよい。たとえばネットワーク１の回線に異常が発生している、接続先のサーバ３がシステムダウンしているなどの新たな情報が取得できない場合には、複数の情報の中から最適なコンテンツ、たとえばアドレス‘YYY’に格納されたレコードＲに従う基本サービス情報を取得しておいて、これを表示させるようにしてもよい。さらに、表示するサービス情報としては次のようなものが想定される。たとえば、携帯端末２を自宅で使用する場合は当日の天気予報や交通情報や社会ニュースなどを取得して表示し、職場で使用する際は自宅に設置した監視カメラ映像、あるいは家族の通う学校などに設置されたカメラ映像、あるいは仕事に関連あるカメラ映像などを表示し、公共交通機関に立ち寄った際は時刻表や路線図などが表示され、夜に自宅に帰って使用する際には、その日のニュースや翌日の天気予報や話題の映画・音楽に関する情報が表示され、あるいは使用日時が週末であるならば、お勧めの行楽情報やイベント情報が所定のサーバ３から取得されて表示されるといった利用形態が可能となる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本実施の形態に係る通信システムの構成図である。
【図２】本実施の形態に係る携帯端末の機能構成図である。
【図３】本実施の形態に係る携帯端末のハードウェア構成図である。
【図４】本実施の形態に係るサーバの機能構成の一例を示す図である。
【図５】本実施の形態に係るサーバの機能構成の他の例を示す図である。
【図６】本実施の形態に係るサーバのハードウェア構成図である。
【図７】本実施の形態に係る携帯端末における画面表示の一例を示す図である。
【図８】本実施の形態に係る携帯端末における画面表示の他の例を示す図である。
【図９】本実施の形態に係る携帯端末の情報格納部の内容例を示す図である。
【図１０】本実施の形態に係る処理フローチャートである。
【図１１】本実施の形態に係る処理フローチャートである。
【図１２】本実施の形態に係る処理フローチャートである。
【図１３】本実施の形態に係るデータフォーマットの一例を示す図である。
【図１４】本実施の形態に係るデータフォーマットの他の例を示す図である。
【符号の説明】
【００８３】
１  ネットワーク、２  携帯端末、３，３Ａ，３Ｂ  サーバ、２１  位置情報取得部、２２  操作検出部、２３  サービス情報取得部、２４  情報格納部、３６  要求情報確認部、２０１  登録条件決定部、２０２  情報表示部、３６３  カメラ部、Ｒ  レコード、ＣＭ  コマンド。
【図１】
0004605195.tif 000002
【図２】
0004605195.tif 000003
【図３】
0004605195.tif 000004
【図４】
0004605195.tif 000005
【図５】
0004605195.tif 000006
【図６】
0004605195.tif 000007
【図７】
0004605195.tif 000008
【図８】
0004605195.tif 000009
【図９】
0004605195.tif 000010
【図１０】
0004605195.tif 000011
【図１１】
0004605195.tif 000012
【図１２】
0004605195.tif 000013
【図１３】
0004605195.tif 000014
【図１４】
0004605195.tif 000015